(57)【要約】      （修正有）【課題】パウダーを化粧用具の塗布面に均一に付着させ、さらに、従来と同等の製造コストを実現するパウダー容器用中蓋、および、パウダー容器を提供する。【解決手段】パウダー容器用中蓋１０は、パウダー容器の本体２内に取り付けられるパウダー容器用中蓋１０であって、底面１１、および、筒状の側面１２を有し、底面１１には、パウダーが通過する複数の孔１４が設けられており、底面１１の上面には、上方に突出する凸部１５が設けられており、底面１１に化粧用具を載せた時に、凸部１５によって化粧用具が保持され、底面１１の上面と、化粧用具の塗布面との間に空間が形成される。【選択図】図１
2019141111.tif 000002
【特許請求の範囲】
【請求項１】
パウダー容器の本体内に取り付けられるパウダー容器用中蓋であって、
底面、および、筒状の側面を有し、
前記底面には、パウダーが通過する複数の孔が設けられており、
前記底面の上面には、上方に突出する凸部が設けられており、
前記底面に化粧用具を載せた時に、前記凸部によって前記化粧用具が保持され、前記底面の上面と、前記化粧用具の塗布面との間に空間が形成されることを特徴とするパウダー容器用中蓋。
【請求項２】
前記凸部は、前記底面の上面に設けられた複数の突起からなることを特徴とする請求項１に記載のパウダー容器用中蓋。
【請求項３】
前記凸部は、前記底面の上面に設けられたリブからなることを特徴とする請求項１に記載のパウダー容器用中蓋。
【請求項４】
前記リブは環状に設けられており、前記底面には、環状の前記リブの内側に前記孔が設けられていることを特徴とする請求項３に記載のパウダー容器用中蓋。
【請求項５】
前記凸部は、前記底面の上面に設けられた１つの環状の段差からなり、前記底面は、前記段差の内側が前記段差の外側よりも低く、前記底面には、前記段差の内側に前記孔が設けられていることを特徴とする請求項１に記載のパウダー容器用中蓋。
【請求項６】
前記底面の上面において、前記段差の内側に、前記凸部として複数の突起またはリブが設けられていることを特徴とする請求項５に記載のパウダー容器用中蓋。
【請求項７】
前記凸部の側面に、パウダーが通過する孔が設けられていることを特徴とする請求項１〜６のいずれか１項に記載のパウダー容器用中蓋。
【請求項８】
前記底面の孔にテーパー部が設けられていることを特徴とする請求項１〜７のいずれか１項に記載のパウダー容器用中蓋。
【請求項９】
請求項１〜８のいずれか１項に記載のパウダー容器用中蓋、前記パウダー容器用中蓋が取り付けられる本体、および、前記本体を開閉可能な蓋を有することを特徴とするパウダー容器。
【発明の詳細な説明】
【技術分野】
【０００１】
本発明は、パウダー容器用中蓋およびパウダー容器に関する。
【背景技術】
【０００２】
パウダー容器は、容器本体の中間部に複数の小さな孔が設けられた中蓋を配置し、中蓋の下にパウダーを収容し、中蓋の上に化粧用具であるパフを収容する構造（特許文献１参照）が用いられている。そして、前記中蓋の孔を通してパウダーをパフの塗布面に付着させて使用する。
【０００３】
このようなパウダー容器を使用する場合、中蓋の上にパフを載せた状態で、パウダー容器を反転させると、前記中蓋の孔を通じてパウダーがパフの塗布面に付着し、パウダーを塗布することができるようになる。
【０００４】
その他に、中蓋に伸縮性を有するメッシュを設けたパウダー容器（特許文献２参照）も存在し、このようなパウダー容器の場合、化粧用具のパフでメッシュを上から押圧してメッシュを変形させることで、パフにパウダーを付着させて使用する。
【先行技術文献】
【特許文献】
【０００５】
【特許文献１】特開２０００−１２５９２８号公報
【特許文献２】特開２００９−２８６０１３号公報
【発明の概要】
【発明が解決しようとする課題】
【０００６】
しかしながら、従来のパウダー容器は、孔を設けた中蓋を用いた場合、容器を反転させてパウダーをパフに付着させると、パフの塗布面には、孔の付近を中心に部分的にパウダーが付着されているので、パウダーを顔などに塗布する前にパフを揉み込む動作を行い、パウダーをパフの塗布面に均一に付着させる必要があった。そのため、手間と時間が掛かるという問題があった。このようなパフを揉み込む動作を行わない場合は、塗布しながら肌の上でパウダーを均一にさせることも可能であるが、その場合、ムラが出来やすいという問題がある。
【０００７】
メッシュを設けた中蓋を用いたパウダー容器の場合は、パフの塗布面に均一にパウダーを付着させることはできるが、メッシュを押し付ける動作の際にパウダーが飛散する可能性があり、また、パウダーの量が少なくなるとメッシュを大きく変形させる必要があり、パウダーを付着させ難いという問題がある。また、メッシュを用いるために、製造工程が複雑になり、製造コストが増加するという問題がある。
【０００８】
そこで、本発明は従来のパウダー容器の問題を解決するために、パウダーを化粧用具の塗布面に均一に付着させ、さらに、従来と同等の製造コストを実現するパウダー容器用中蓋、および、パウダー容器を提供することを目的とする。
【課題を解決するための手段】
【０００９】
本発明のパウダー容器用中蓋は、パウダー容器の本体内に取り付けられるパウダー容器用中蓋であって、底面、および、筒状の側面を有し、前記底面には、パウダーが通過する複数の孔が設けられており、前記底面の上面には、上方に突出する凸部が設けられており、前記底面に化粧用具を載せた時に、前記凸部によって前記化粧用具が保持され、前記底面の上面と、前記化粧用具の塗布面との間に空間が形成されることを特徴とする。
【００１０】
前記凸部は、前記底面の上面に設けられた複数の突起からなる。
【００１１】
前記底面の上面に設けられたリブからなり、さらに、前記リブは、環状に設けることも可能であり、前記底面には環状の前記リブの内側に前記孔を設ける。
【００１２】
前記凸部は、前記底面の上面に設けられた１つの環状の段差からなり、前記底面は、前記段差の内側が前記段差の外側よりも低く、前記底面には、前記段差の内側に前記孔が設けられており、さらに、前記底面の上面において、前記段差の内側に、前記凸部として複数の突起またはリブを設けることも可能である。
【００１３】
前記凸部の側面にパウダーが通過する孔が設けられている。
【００１４】
前記底面の孔には、テーパー部が設けられている。
【００１５】
本発明のパウダー容器は、前記パウダー容器用中蓋、前記パウダー容器用中蓋が取り付けられる本体、および、前記本体を開閉可能な蓋を有することを特徴とする。
【発明の効果】
【００１６】
本発明のパウダー容器用中蓋は、パウダー容器の本体内に取り付けられるパウダー容器用中蓋であって、底面、および、筒状の側面を有し、前記底面には、パウダーが通過する複数の孔が設けられており、前記底面の上面には、上方に突出する凸部が設けられており、前記底面に化粧用具を載せた時に、前記凸部によって前記化粧用具が保持され、前記底面の上面と、前記化粧用具の塗布面との間に空間が形成されることにより、パウダー容器を反転させると、前記孔を通じて前記空間内にパウダーが排出され拡散されて、前記化粧用具の塗布面に均一にパウダーが付着されるようになり、ムラなくパウダーを肌に塗布することができるようになり、このような効果は、製造コストを増加させることなく実現することができる。
【００１７】
前記凸部は、前記底面の上面に設けられた１つの環状の段差からなり、前記底面は、前記段差の内側が前記段差の外側よりも低く、前記底面には、前記段差の内側に前記孔が設けられていることにより、前記中蓋の上にシールを設置しておき、開封前にパウダーが飛散するのを防止することができる。
【００１８】
前記底面の孔にテーパー部が設けられていることにより、前記空間にパウダーがスムーズに排出されるようになり、化粧用具の塗布面により均一に、そして、十分な量のパウダーを付着させることができるようになる。
【００１９】
本発明のパウダー容器は、前記パウダー容器用中蓋、前記パウダー容器用中蓋が取り付けられる本体、および、前記本体を開閉可能な蓋を有することにより、パウダー容器を反転させると、前記孔を通じて前記空間内にパウダーが排出され、前記化粧用具の塗布面に均一にパウダーが付着されるようになり、ムラなくパウダーを肌に塗布することができるようになり、このような効果を製造コストを増加させることなく実現することができる。
【図面の簡単な説明】
【００２０】
【図１】第１の実施形態のパウダー容器の蓋を開けた状態の斜視図である。
【図２】第１の実施形態のパウダー容器の断面図である。
【図３】（ａ）は、第１の実施形態のパウダー容器用中蓋の斜視断面図であり、（ｂ）は平面図である。
【図４】第１の実施形態のパウダー容器用中蓋の他の形態の平面図および断面図である。
【図５】第１の実施形態のパウダー容器用中蓋の他の形態の平面図および断面図である。
【図６】第１の実施形態のパウダー容器用中蓋の他の形態の平面図および断面図である。
【図７】第２の実施形態のパウダー容器の蓋を開けた状態の斜視図である。
【図８】第２の実施形態のパウダー容器の断面図である。
【図９】（ａ）は、第２の実施形態のパウダー容器用中蓋の斜視断面図であり、（ｂ）は平面図である。
【図１０】（ａ）は、第２の実施形態のパウダー容器用中蓋の他の形態の斜視断面図であり、（ｂ）は平面図である。
【図１１】第３の実施形態のパウダー容器の蓋を開けた状態の斜視図である。
【図１２】第３の実施形態のパウダー容器の断面図である。
【図１３】（ａ）は、第３の実施形態のパウダー容器用中蓋の斜視断面図であり、（ｂ）は平面図であり、（ｃ）はシールを取り付けた状態のパウダー容器用中蓋の斜視断面図である。
【図１４】（ａ）は、第３の実施形態のパウダー容器用中蓋の他の形態の斜視断面図であり、（ｂ）は平面図である。
【図１５】（ａ）は、第３の実施形態のパウダー容器用中蓋の他の形態の斜視断面図であり、（ｂ）は平面図である。
【図１６】第３の実施形態のパウダー容器用中蓋の他の形態の平面図である。
【図１７】第１の実施形態のパウダー容器用中蓋の他の形態の断面図である。
【発明を実施するための形態】
【００２１】
本発明のパウダー容器用中蓋およびパウダー容器について、図面を参照しながら、以下に詳細に説明する。図１に示すのが、本発明の第１の実施形態のパウダー容器１の蓋を開けた状態の斜視図であり、図２に示すのが断面図である。図３に示すのが、第１の実施形態のパウダー容器用中蓋１０の斜視断面図および平面図である。
【００２２】
本発明の第１の実施形態のパウダー容器１は、図１，２に示すように、本体２、前記本体２内に着脱可能に取り付けられたパウダー容器用中蓋１０、および、本体２を開閉するための蓋３から構成され、前記本体２内にパウダー４を収容し、前記パウダー４の上方に前記中蓋１０を配置する。そして、前記蓋３は、図２に示すように、前記蓋３のねじ７と前記本体２のねじ６との螺合によって、前記本体２に着脱可能に取り付けられている。そして、図２に示すように、前記中蓋１０の下方にパウダー４が収容され、前記中蓋１０の上に化粧用具のパフ５を収容することができる。
【００２３】
前記パウダー４は、ルースタイプのフェイスパウダーを想定しているが、チーク、粉おしろいなどの粉体化粧料の他、様々な用途のパウダー４を、前記パウダー容器１に収容することができる。
【００２４】
図３に示すように、第１の実施形態の前記パウダー容器用中蓋１０は、底面１１および円筒状の側面１２を有し、前記側面１２の上端には外側に突出する縁部１３が設けられており、樹脂による一体成形品である。これにより、前記中蓋１０を前記本体２内に上から挿入すると、図２に示すように、前記側面１２の外面が前記本体２の内面と当接し、さらに、前記中蓋１０の縁部１３が前記本体２の上端と当接することにより、前記中蓋１０は前記本体２内に着脱可能に取り付けられることになる。
【００２５】
前記中蓋１０の底面１１には、図３に示すように、前記本体２内に収容されたパウダー４が通過する複数の孔１４が設けられており、前記孔１４を通じて前記本体２に収容された前記パウダー４が外部に排出され、前記パフ５の塗布面に付着される。前記中蓋１０の底面１１の上面には、上方に突出する凸部として、図３に示すように、複数の突起１５が設けられている。前記突起１５は、円柱の先端が丸くなった形状を有しており、図３（ｂ）に示すように、前記孔１４と等間隔で交互に、千鳥状に配置されている。
【００２６】
図２に示すように、前記中蓋１０の上にパフ５を載せると、前記突起１５によって前記パフ５が保持されることになり、前記中蓋１０の上面と、前記パフ５の塗布面となる底面との間に、空間１６が形成される。前記空間１６は前記孔１４によって前記パウダー４が収容されている空間と連通されていることから、前記中蓋１０の上に前記パフ５を載せた状態で、前記パウダー容器１を上下反転させると、前記孔１４を通じて前記本体２内の前記パウダー４が前記空間１６へと排出され、排出された前記パウダー４は前記空間１６内で拡散されて、前記パフ５の塗布面に付着される。この時、前記パフ５の塗布面は、前記突起１５と接触している部分を除いて前記パウダー４が付着することから、従来のように、前記孔１４付近だけではなく、広範囲に均一に付着させることができる。
【００２７】
前記パフ５の塗布面において、前記突起１５の先端と接触している部分については前記パウダー４が付着できないが、前記パウダー容器１を上下反転した状態から元の状態に戻した後、前記パフ５を前記突起１５に接触させた状態で前記中蓋１０内で水平方向に回転させる動作を行うことにより、前記パウダー４を前記パフ５の塗布面全体に均一に付着させることも可能である。
【００２８】
また、このような前記パフ５の回転動作を行わなくても、前記パフ５の塗布面は、従来よりも前記パウダー４が付着している面積は大幅に増加していることから、肌にパウダー４を塗布したとしても、従来のようなムラは生じ難くなり、使い勝手が向上する。
【００２９】
本発明のパウダー容器用中蓋１０の凸部として突起１５を用いる場合、突起１５の形状は特に限定するものではなく、様々な形状を用いることが可能である。例えば、円柱形状以外に四角柱などの柱形状、また、円錐形状（図４（ａ）参照）、四角錐形状（図４（ｂ）参照）などの錐形状も可能である。その他に、十字型の突起１５（図４（ｃ）参照）、パウダーを欠き落とし易くするためにヘラ状の突起１５（図４（ｄ）参照）なども可能であり、様々な形状の突起を用いることができる。
【００３０】
また、突起１５の先端についても様々な形状が可能であり、パフ５との接触面を減らす目的であれば、先端を尖らせた錐状が好ましいが、先端が尖っているとパフ５の表面に突起１５の跡が付く可能性があることから、例えば、図５（ａ）に示すように、先端を平坦にした円錐台形状も可能である。突起の先端としては、その他に、図５（ｂ）に示すように、先端に凹凸を設けることも可能である。
【００３１】
前記突起１５と前記孔１４との位置関係およびそれぞれの個数についても様々な形態が可能である。例えば、突起１５を孔１４と等間隔で配置するのではなく、図４（ｂ），（ｃ）に示すように、突起１５を正方形の４辺上に配置し、正方形の中に孔１４を配置する形態も可能である。さらに、図５（ｃ）に示すように、突起１５を、孔１４と離れた中蓋１０の側面１２付近に配置することも可能である。さらに、図５（ｄ）に示すように、前記突起１５の側面に孔１７を設けることも可能である。
【００３２】
前記孔１４の形状についても、これまでは一般的な下から上まで同一の直径を有する貫通孔の形態を用いて説明しているが、図６に示すようなテーパー部を有する孔１４の形態も可能である。図６（ａ）に示すのは、図３（ａ）に記載のパウダー容器用中蓋１０の孔１４の直径を、上を大きく、下を小さくした形状に変更したパウダー容器用中蓋１０であり、円錐台形状の貫通孔１４を用いている。このようなテーパー部を有する孔１４を用いることにより、前記孔１４を通過したパウダー４を空間１６に排出する際に、より広範囲に拡散することができる。前記テーパー部の傾斜については、図６に示す直線だけではなく、曲線を用いること、また、直線と曲線を組み合わせることも可能である。
【００３３】
テーパー部を設けた孔１４については、その他に、図６（ｂ）に示すように、直径を上を小さく、下を大きくした形状、図６（ｃ）に示すように、直径を中央を小さくし、上と下を大きくした形状などが可能である。その他にも、孔１４を垂直の部分とテーパー部とを組み合わせた形状とすることも可能である。また、異なる形状の孔１４を組み合わせて配置することも可能である。
【００３４】
本発明のパウダー容器用中蓋１０は、複数の突起１５からなる凸部を設け、前記突起１５によって化粧用具であるパフ５を保持することにより、パウダー４を拡散させる空間１６を形成し、パフ５の塗布面に均一にパウダー４を付着させることができるようになり、肌にムラなくパウダー４を塗布することができるようになる。また、パウダー容器用中蓋１は一体成形できることから、メッシュを用いた中蓋のように製造コストを大幅に増加させることなく、従来よりも優れた効果を奏することができる。
【００３５】
次に、本発明の第２の実施形態のパウダー容器１’およびパウダー容器用中蓋２０について説明する。第２の実施形態のパウダー容器１’は、パウダー容器用中蓋２０以外の部材は、第１の実施形態と同じであることから、パウダー容器用中蓋２０以外の部材の詳細な説明は省略する。
【００３６】
図７，８に示すように、本発明の第２の実施形態のパウダー容器１’は、本体２、前記本体２内に着脱可能に取り付けられたパウダー容器用中蓋２０、および、本体２を開閉するための蓋３から構成され、図８に示すように、前記中蓋２０の下方にパウダー４が収容され、前記中蓋２０の上に化粧用具のパフ５を収容することができる。
【００３７】
図９に示すように、第２の実施形態のパウダー容器用中蓋２０は、底面２１および円筒状の側面２２を有し、前記側面２２の上端に縁部２３が設けられており、樹脂による一体成形品であり、前記本体２内に着脱可能に取り付けられる。
【００３８】
前記中蓋２０の底面２１には、図１０に示すように、前記本体２内に収容されたパウダー４が通過する複数の孔２４が等間隔で設けられている。さらに、前記中蓋２０の底面１１の上面には、上方に突出する凸部として、図９に示すように、１つの環状のリブ２５が、前記孔２４を全て取り囲むように設けられている。
【００３９】
図８に示すように、前記中蓋２０の上にパフ５を載せると、前記リブ２５によって前記パフ５の周縁部が保持されることになり、前記中蓋２０の上面と、前記パフ５の塗布面となる底面との間に、空間２６が形成される。前記空間２６は前記孔２４によって前記パウダー４が収容されている空間と連通されていることから、前記中蓋２０の上に前記パフ５を載せた状態で、前記パウダー容器１’を上下反転させると、前記孔２４を通じて前記本体２内の前記パウダー４が前記空間２６へと排出され、前記パウダー４は前記空間２６内で拡散され、その後、前記パフ５の塗布面に付着される。この時、前記空間２６は、前記パフ５と前記リブ２５とによって密閉された状態となっており、前記パウダー４が前記空間２６から外部へと飛散するのを防止することができる。
【００４０】
前記リブ２５の内側には、前記パフ５の塗布面を隠すものは存在しないことから、前記パフ５の塗布面に、均一に前記パウダー４を付着させることができ、前記中蓋２０は、肌にムラなくパウダー４を塗布することができるという優れた効果を奏する。
【００４１】
前記パフ５の塗布面に付着する前記パウダー４は、前記リブ２５の内側の範囲に限定されるが、前記パフ５を使用する際は、前記パフ５の周縁部はあまり使用されないことから、前記パフ５の周縁部分に前記パウダー４が付着していなくても使用上は特に問題は無い。
【００４２】
前記凸部として環状のリブ２５を用いて説明したが、前記リブ２５の形態は特に限定するものではなく、例えば、図１０に示すように放射状のリブ２５を用いることも可能である。また、リブ２５の個数についても１つに限定するものではなく、図１０のリブ２５を複数に分離させることも可能である。さらに、前記凸部として、リブ２５と第１の実施形態の突起１５とを組み合わせることも可能である。
【００４３】
次に、本発明の第３の実施形態のパウダー容器１’’およびパウダー容器用中蓋３０について説明する。第３の実施形態のパウダー容器１’’は、パウダー容器用中蓋３０以外の部材は、第１，２の実施形態と同じであることから、パウダー容器用中蓋３０以外の部材の詳細な説明は省略する。
【００４４】
図１１，１２に示すように、本発明の第３の実施形態のパウダー容器１’’は、本体２、前記本体２内に着脱可能に取り付けられたパウダー容器用中蓋３０、および、本体２を開閉するための蓋３から構成され、図１２に示すように、前記中蓋３０の下方にパウダー４が収容され、前記中蓋３０の上に化粧用具であるパフ５を収容することができる。
【００４５】
図１３に示すように、第３の実施形態の前記パウダー容器用中蓋３０は、底面３１および円筒状の側面３２を有し、前記側面３２の上端に縁部３３が設けられており、樹脂による一体成形品であり、前記本体２内に着脱可能に取り付けられる。
【００４６】
前記中蓋３０の底面３１は、図１３に示すように、凸部として環状の段差３５が設けられており、前記底面３１は、前記段差３５の内側が前記段差３５の外側よりも低く、中央に凹部を設けた形状を有しており、前記底面３１の上面において、前記段差３５の内側の低くなった範囲に、前記本体２内に収容されたパウダー４が通過する複数の孔３４が等間隔で設けられている。
【００４７】
図１２に示すように、前記中蓋３０の上にパフ５を載せると、前記段差３５によって前記パフ５の周縁部が保持されることになり、前記中蓋３０の上面と、前記パフ５の塗布面となる底面との間に空間３６が形成される。前記空間３６は前記孔３４によって前記パウダー４が収容されている空間と連通されていることから、前記中蓋３０の上に前記パフ５を載せた状態で、前記パウダー容器１’’を上下反転させると、前記孔３４を通じて前記本体２内の前記パウダー４が前記空間３６へと排出され、前記パウダー４は前記空間３６内で拡散され、その後、前記パフ５の塗布面に付着される。この時、前記空間３６は、前記パフ５と前記段差３５とによって密閉された状態となっており、前記パウダー４が前記空間３６から外部へと飛散するのを防止することができる。
【００４８】
前記段差３５の内側には、前記パフ５の塗布面を隠すものは存在しないことから、前記パフ５の塗布面には、均一に前記パウダー４を付着させることができ、前記中蓋３０は、肌にムラなくパウダー４を塗布することができるという優れた効果を奏する。
【００４９】
そして、前記中蓋３０は、前記段差３５によって前記側面３２の下端に環状の平坦な面が形成されていることから、図１３（ｃ）に示すように、前記平坦な面を利用してシール３９を前記中蓋３０内に取り付けることも可能であり、前記シール３９は、前記平坦な面を利用しないで、前記底面３１に直接貼り付けることも可能である。前記シール３９は、パウダー４が孔３４を通じて飛散するのを防止するためのものであり、使用前のパウダー容器１の中蓋３０に貼り付けられている。
【００５０】
前記凸部として段差３５を設けたパウダー容器用中蓋３０には、さらに、図１４に示すように、前記段差３５の側面となる部分に水平方向に貫通する孔３７を設けることも可能である。前記孔３７は、前記パウダー４が収容された空間と連通していることから、前記中蓋３０の上に前記パフ５を載せた状態で、前記パウダー容器１’’を上下反転させる動作を行うと、この動作によって、前記孔３４を通じて前記本体２内の前記パウダー４が垂直方向に空間３６へと排出されると同時に、前記孔３７を通じて前記パウダー４が水平方向に空間３６へと排出されることから、前記空間３６内により多くのパウダー４が排出され、より均一に拡散されるので、前記パフ５の塗布面に付着されるパウダー４の量は増加し、より均一に付着させることができる。
【００５１】
前記パウダー容器用中蓋３０は、さらに、別の形態として、図１５に示すように、前記底面３１の上面において前記段差３５の内側の範囲に複数の突起３８を設けることも可能である。前記突起３８は、孔３４と等間隔で交互に配置されており、前記突起３８によってパフ５の塗布面に付着したパウダー４を塗布面全体に均すことができるようになる。さらに、環状の平坦な面を利用してシール（図示せず）を取り付けた時に、前記突起３８によって、前記シールが保持されて中央部が下方に撓み難くなり、前記シールの捲れを防止することができ、また、前記突起３８がパフを保持することで前記パフが前記段差３５の内側へと落ち込むことを防止し、前記底面３１と前記パフの塗布面となる底面との間の空間を十分に確保することができる。
【００５２】
本発明のパウダー容器用中蓋に設ける凸部について、複数の突起、リブ、段差を用いて説明してきたが、凸部の形態はこれらに限定するものではなく、化粧用具であるパフを保持し、パフの塗布面と中蓋の底面の上面との間に空間を形成することができればよく、また、複数の突起、リブ、段差を組み合わせることも可能である。また、孔の形状についても図示していないが、テーパー部を設けた孔を、リブ、段差と組み合わせることも可能であり、孔の配置についても、異なる大きさの孔を組み合わせた配置（例えば、中央の孔の径を大きく、外側の孔の径を小さくする（図１６（ａ）参照））、また、孔の間隔を場所によって変更する配置（例えば、中央の孔を密に、外側の孔を粗に配置する（図１６（ｂ）参照））等、様々な配置が可能である。
【００５３】
さらに、本発明のパウダー容器用中蓋の底面に曲面を用いることも可能であり、例えば、全体が下方に突出した曲面（図１７（ａ）参照）、一部が下方に突出した曲面（図１７（ｂ）参照）とすることも可能である。このように本発明のパウダー容器用中蓋は、使用するパウダー、容器の形状などに応じて、凸部、孔、底面の形態を適宜選択し、さらに、これらを組み合わせることにより、より効果的に化粧用具の塗布面に均一にパウダーを付着させることが可能となる。
【符号の説明】
【００５４】
１，１’，１’’    パウダー容器
２                本体
３                蓋
４                パウダー
５                パフ
６                ねじ
７                ねじ
１０，２０，３０  パウダー容器用中蓋
１１，２１，３１  底面
１２，２２，３２  側面
１３，２３，３３  縁部
１４，２４，３４  孔
１５              突起
１６，２６，３６  空間
１７，３７        孔
２５              リブ
３５              段差
３８              突起
３９              シール
【図１】
2019141111.tif 000003
【図２】
2019141111.tif 000004
【図３】
2019141111.tif 000005
【図４】
2019141111.tif 000006
【図５】
2019141111.tif 000007
【図６】
2019141111.tif 000008
【図７】
2019141111.tif 000009
【図８】
2019141111.tif 000010
【図９】
2019141111.tif 000011
【図１０】
2019141111.tif 000012
【図１１】
2019141111.tif 000013
【図１２】
2019141111.tif 000014
【図１３】
2019141111.tif 000015
【図１４】
2019141111.tif 000016
【図１５】
2019141111.tif 000017
【図１６】
2019141111.tif 000018
【図１７】
2019141111.tif 000019